(57)【要約】【課題】  先端部の毛が長い歯ブラシにおいて、従来のように比較的平坦な面を磨く際には毛の当たり難い場所がでてしまい歯垢の除去能力が低下することがなく、ブラッシング時に先端側の長い毛の部分が先端側を除く毛の短い毛束の凹凸に影響されて不要に上下動することもなく先端側の長い毛の部分を十分に作用することができ、且つブラッシングが行い易い歯ブラシを提供する。【解決手段】  ヘッド部を側面から見たときに後端側の毛束の全てが長毛と短毛との混合毛束で構成され、該長毛及び短毛それぞれの毛先端を結ぶ線が後端側の直線状をなした植毛面に対して略平行であり、ヘッド部の先端側の主な毛の有効高さが後端側の短毛の毛先端を結ぶ線より１ｍｍ以上高く且つ長毛の毛先端を結ぶ線以上あることを特徴とする歯ブラシとする。【選択図】  図２
2006055180.tif 000002
【特許請求の範囲】
【請求項１】
複数本の毛を束ねて構成される毛束を植毛面に複数植設したヘッド部（１）とこれに続く首部と把持部とを備えた歯ブラシにおいて、ヘッド部（１）を側面から見たときに後端側（１ｂ）の毛束の全てが長毛（２ａ）と短毛（２ｂ）との混合毛束で構成され、該長毛（２ａ）及び短毛（２ｂ）それぞれの毛先端を結ぶ線（２Ａ、２Ｂ）が後端側（１ｂ）の直線状をなした植毛面（３Ｂ）に対して略平行であり、ヘッド部（１）の先端側（１ａ）の主な毛の有効高さ（１Ａ）が後端側（１ｂ）の短毛（２ｂ）の毛先端を結ぶ線（２Ｂ）より１ｍｍ以上高く且つ長毛（２ａ）の毛先端を結ぶ線（２Ａ）以上あることを特徴とする歯ブラシ。
【請求項２】
後端側（１ｂ）の毛の長毛（２ａ）及び短毛（２ｂ）それぞれの毛先端を結ぶ線（２Ａ、２Ｂ）の高さの差が１〜５ｍｍである請求項１に記載の歯ブラシ。
【発明の詳細な説明】
【技術分野】
【０００１】
本発明は使用し易く且つ効率よく歯垢等を除去することができる先端側の毛が長い歯ブラシに関する。
【背景技術】
【０００２】
基本的には歯ブラシは毛の長さが皆同じであって歯ブラシのヘッドを側面から見たときの毛束の毛先端を結ぶ線は直線である。従来から歯列の複雑な形状に歯ブラシの毛先を適合させるため、例えば毛の長さを変えて毛束を円錐状にしたり側面から見て毛束を単位として山切り状としたり（例えば、特許文献１参照）、また、ヘッドの先端側の毛が長い歯ブラシも多く使用されている（例えば、特許文献２，３参照。）。何れにしても毛束を円錐状にしたり数本の毛束を単位として山切り状とした歯ブラシは、ヘッド先端の毛先の形状が凸形状をしていることが多く、これは臼歯の奥をしっかりと磨くためにはヘッドの先端側の毛が長いことが重要であるからである。
【０００３】
しかしヘッドの先端側の毛が長い歯ブラシは、前歯等のように比較的平坦な面を磨く際には毛の当たり難い場所ができてしまい歯垢の除去能力が低下する問題があった。この問題を解決するために把持部に近づくほど次第に毛が短くなる歯ブラシが提案されている（例えば、特許文献４参照。）。しかし、当然ながらこの歯ブラシでは先端側の毛が長い効果が低下してしまう。
【０００４】
また、ヘッドを傾けるまたは変形させる（例えば、特許文献５，６参照。）、ヘッドの先端側から把持部方向の毛を毛束単位で山切りにする（例えば、特許文献７参照。）、後端側の毛を後端に行くに従って再び長くする等の歯ブラシもある（例えば、特許文献８，９参照。）。しかしこれらの歯ブラシは、先端側の長い毛の部分のみが凸出しているために、または先端側を除く部分の毛束が山型であるために、ブラッシング時に先端側の毛や後端側の山型に影響されてしまいヘッド全体が不要に上下動してしまう。その結果として先端側の長い毛の部分が十分に作用することができず歯垢除去の効果が低下してしまうという問題があった。そして毛束の凹凸に影響されてヘッド全体が不要に上下動してしまうことはブラッシングがし難いという欠点でもある。
【０００５】
【特許文献１】実公昭６２−３７４７８号公報  図１
【特許文献２】実開昭６３−１０９３０号公報
【特許文献３】特開平５−１６８５２８号公報
【特許文献４】実開平４−２７８２９号公報
【特許文献５】特開２０００−２８７７５３号公報
【特許文献６】実開平６−３６４２５号公報
【特許文献７】特開２００２−３５５１２０号公報
【特許文献８】特開平９−２３４１１４号公報
【特許文献９】特開２００２−３２５６３２号公報
【発明の開示】
【発明が解決しようとする課題】
【０００６】
そこで本発明は、臼歯の奥がしっかりと磨ける先端側の毛が長い歯ブラシにおいて、従来のように比較的平坦な面を磨く際に毛の当たり難い場所がでてしまい歯垢の除去能力が低下してしまうことがなく、ブラッシング時に先端側の長い毛の部分に影響されて、または先端側を除く毛の山型に影響されて不要に上下動することもなく先端側の長い毛の部分を十分に作用することができ、且つブラッシングが行い易い歯ブラシを提供することを課題とする。
【課題を解決するための手段】
【０００７】
本発明者らは前述の問題を解決するために鋭意検討した結果、臼歯の奥がしっかりと磨ける先端側の毛が長い歯ブラシにおいて、後端側の毛束の全てが長毛と短毛とで構成されている混合毛束とすることにより後端側の毛束に上下動を適度に吸収する作用を与えることができることを見出し本発明を完成した。
【０００８】
即ち本発明は、複数本の毛を束ねて構成される毛束を植毛面に複数植設したヘッド部とこれに続く首部と把持部とを備えた歯ブラシにおいて、ヘッド部を側面から見たときに後端側の毛束の全てが長毛と短毛との混合毛束で構成され、該長毛及び短毛それぞれの毛先端を結ぶ線が後端側の直線状をなした植毛面に対して略平行であり、ヘッド部の先端側の主な毛の有効高さが後端側の短毛の毛先端を結ぶ線より１ｍｍ以上高く且つ長毛の毛先端を結ぶ線以上あることを特徴とする歯ブラシであり、後端側の毛の長毛及び短毛それぞれの毛先端を結ぶ線の高さの差が１〜５ｍｍであることが好ましい歯ブラシである。
【発明の効果】
【０００９】
本発明は臼歯の奥がしっかりと磨ける先端側の毛が長い歯ブラシにおいて、後端側の毛束の全てが長毛と短毛とで構成されている混合毛束としたことにより後端側の毛束に上下動を適度に吸収する作用を与えることができる。この作用によって従来の臼歯の奥がしっかりと磨けるブラッシング時に先端側が長い毛の歯ブラシに、先端側の毛のみが凸出している、または後端側の毛が山型等に形成されている歯ブラシのように歯ブラシのヘッド部が不要に上下動することなく、確実に先端側の長い毛の部分が作用して従来以上の歯垢除去の効果を与えることができる歯ブラシである。そして、後端側の毛束の山型等に影響されて不要に上下動することがないのでブラッシングも行い易い優れた歯ブラシである。
【発明を実施するための最良の形態】
【００１０】
以下、図面により本発明に係る歯ブラシについて詳細に説明する。
図１は本発明に係る歯ブラシの１実施例のヘッド部から首部にかけてを側面から見た説明図。図２は図１の歯ブラシにおいて、長毛と短毛のそれぞれの毛先端を結ぶ線及び後端側に植設された毛束の植毛面の延長線を示した説明図。図３は図１の歯ブラシを首部方向から見た説明図。図４は本発明に係る歯ブラシの別の実施例のヘッド部から首部にかけてを側面から見た説明図である。
【００１１】
図面中１は複数本の毛を束ねて構成される毛束を植毛面に複数植設したヘッド部である。ヘッド部は従来からの所謂一般的な歯ブラシのヘッド部の形状がそのまま使用可能であり、基本的には植毛面３が図１の場合では上方から見た場合に長方形状である。勿論、この形状は楕円形状またはそれらの組み合わせ等から構成された形状から成るヘッド部が使用できる。また、本発明に係る歯ブラシのヘッド部１は側面から見たときに先端側１ａと後端側１ｂとで植設されている毛の毛先の高さが異なる。ここで先端側１ａとはヘッド部１を側面から見たときに歯ブラシのヘッド部の中央部より先側を示し、好ましくはヘッド部を側面から見た場合にヘッド部先端から０．５〜１．５ｃｍ程の部位を示す。なお後端側はヘッド部の先端側を除く部位である。
【００１２】
本発明に係る歯ブラシは前述のヘッド部１に続く首部と更に首部に続く把持部とを備えた歯ブラシである。首部及び把持部も従来の一般的な歯ブラシに用いられていた形状が特に制限されずに使用可能である（図面において把持部は省略。）。
【００１３】
本発明に係る歯ブラシはヘッド部１を側面から見たときにその後端側１ｂの毛束の全てが長毛２ａと短毛２ｂとの混合毛束で構成されている。長さの異なる毛が不規則に存在するために（実際には植設は長毛と短毛が例えば交互等のように規則的に行われていても従来の円錐毛束や山切り毛束と比較して不規則と表現する）先端側の長い毛の部分に影響されて、または後端側の毛束の山型に影響されて不要に上下動する動きを和らげることが可能となる。
【００１４】
本発明に係る歯ブラシにおいては、ヘッド部１を側面から見たときに後端側１ｂの長毛２ａ，短毛２ｂそれぞれの毛先端を結ぶ線２Ａ、２Ｂが後端側１ｂの直線状をなした植毛面３Ｂに対して略平行であることが必要である。また、この毛先端を結ぶ線２Ａ，２Ｂは図３に示すようにヘッド部を図１の首部方向からみても同様に後端側１ｂの直線状をなした植毛面３Ｂに対して平行であることが好ましく、これも従来のヘッドの先端側のみの毛が長い歯ブラシや、後端側の毛を山型や後端に行くに従って長くする等の歯ブラシで発生していた、ブラッシング時に先端側の長い毛の部分が先端側を除く部分の毛束の山型に影響されて不要に上下動してしまい、その結果として先端側の長い毛の部分が十分に作用することができず特に臼歯奥の歯垢除去の効果が低下してしまうという問題を避けるためである。
【００１５】
後端側１ｂの毛の長短それぞれの毛先端を結ぶ線２Ａ、２Ｂとの高さの差は１〜５ｍｍであることが好ましい。１ｍｍ未満または５ｍｍを超えると先端側の長い毛の部分に影響されて、または後端側の毛束の山型等に影響されて不要に上下動する動きを和らげる効果が低下する傾向がある。より好ましくは１〜３ｍｍである。
【００１６】
本発明に係る歯ブラシでは、ヘッドを側面から見たときにヘッド部１の先端側１ａに植設された主な毛の有効高さ１Ａが後端側１ｂの短毛２ｂの毛先端を結ぶ線２Ｂより１ｍｍ以上高く且つ長毛２ａの毛先端２Ａと同じかまたは高いことが重要である。有効高さ１Ａとは後端側１ｂに植設された毛束の短毛２ｂの毛先端を結ぶ線２Ｂから垂直方向にヘッド部１の先端側１ａに植設された毛の先までの高さである。勿論これは本発明の原点である臼歯奥の歯垢除去の効果に優れたヘッド部１の先端側１ａが長い毛である歯ブラシの効果を生かすためである。なお、図４に示すような先端側１ａの植毛面３Ａが後端側１ｂの直線状をなした植毛面３Ｂに対して角度を持っている場合でも、先端側の毛の有効高さ１Ａは後端側１ｂの短毛２ｂの毛先端を結ぶ線２Ｂから先端側に植設された毛の先端までの垂直方向への高さであり、これは先端側１ａに植設されている毛束が植毛面３Ａに対して角度をもって植設されている場合であっても同様である。
【００１７】
なお、先端側１ａに植設された主なの毛の有効高さ１Ａが前述の条件を満たしていれば先端側の毛束または毛束の集合の形状は限定されないが、好ましくは１つの凸状部をもつ形状であることが好ましい。例えば図３に示した例では図１の首部方向から見た場合に先端側１ａに植設された毛束が山状になっている。
【図面の簡単な説明】
【００１８】
【図１】本発明に係る歯ブラシの１実施例のヘッド部から首部にかけてを側面から見た説明図。
【図２】図１の歯ブラシにおいて、長毛と短毛のそれぞれの毛先端を結ぶ線及び後端側に植設された毛束の植毛面の延長線を示した説明図。
【図３】図３は図１の歯ブラシを首部方向から見た説明図。
【図４】図４は本発明に係る歯ブラシの別の実施例のヘッド部から首部にかけてを側面から見た説明図。
【符号の説明】
【００１９】
１  ヘッド部
１ａ  先端側
１ｂ  後端側
１Ａ  先端側の毛の有効高さ
２  毛
２ａ  長毛
２ｂ  短毛
２Ａ  長毛先端を結ぶ線
２Ｂ  短毛先端を結ぶ線
３  植毛面
３Ａ  先端側の植毛面
３Ｂ  後端側の直線状をなした植毛面
【図１】
2006055180.tif 000003
【図２】
2006055180.tif 000004
【図３】
2006055180.tif 000005
【図４】
2006055180.tif 000006